(57)【特許請求の範囲】
【請求項１】
フレームと、
フレームの長手方向にそった測定軸にそって移動可能な平面を有するとともに、測定軸にそって並進するよう誘導されるキャリッジと、
キャリッジに連結され、被測定物と接触させられる測定ピンと、
キャリッジを駆動するためのループ状に張られたケーブルまたはベルトと駆動モータとを有するキャリッジの動力駆動装置と、
測定軸に沿うキャリッジの位置測定システムとから成り、
ループ状に張られたケーブルまたはベルトとキャリッジとの間に旋回可能に取付けらた連接要素であって、キャリッジの平面に平行な旋回軸に沿った旋回動作を可能にする連接要素を有することを特徴とする、長さ寸法測定用コラム。
【請求項２】
前記旋回軸が、水平であることを特徴とする、請求項１に記載の長さ寸法測定用コラム。
【請求項３】
前記連接要素が、キャリッジの平面に垂直な軸に沿った旋回動作も可能にすることを特徴とする、請求項１に記載の長さ寸法測定用コラム。
【請求項４】
前記連接要素が、前記ケーブルまたはベルトに固定された力分配要素と、該力分配要素と前記キャリッジの間の接続要素とから成ることを特徴とする、請求項１に記載の長さ寸法測定用コラム。
【請求項５】
前記力分配要素が、前記フレームに当接させるためのローラを有することを特徴とする、請求項４に記載の長さ寸法測定用コラム。
【請求項６】
前記力分配要素が、それを前記フレームの前面に当接するためのローラと、前記フレームの後面に当接するためのローラを有することを特徴とする、請求項５に記載の長さ寸法測定用コラム。
【請求項７】
前記力分配要素が、どのような水平軸に沿っても旋回動作可能であることを特徴とする、請求項６に記載の長さ寸法測定用コラム。
【請求項８】
前記力分配要素が、前記キャリッジの一部を覆う枠体であることを特徴とする、請求項４に記載の長さ寸法測定用コラム。
【請求項９】
前記枠体と前記キャリッジの間の相対的移動距離を制限するための、スペーサロッドを有することを特徴とする、請求項８に記載の長さ寸法測定用コラム。
【請求項１０】
前記接続要素が、水平の旋回軸で構成されることを特徴とする、請求項４に記載の長さ寸法測定用コラム。
【請求項１１】
前記水平の旋回軸が、前記力分配要素と前記キャリッジとの相対的移動を可能にするように取り付けられていることを特徴とする、請求項１０に記載の長さ寸法測定用コラム。
【請求項１２】
前記キャリッジが、キャリッジの支えの重心位置の一点だけで前記連接要素によって駆動されることを特徴とする、請求項１に記載の長さ寸法測定用コラム。
【請求項１３】
前記ケーブルまたはベルトの上端と下端が、両者ともに同じ点で前記連接要素に固定されていることを特徴とする、請求項１に記載の長さ寸法測定用コラム。
【請求項１４】
前記ケーブルまたは前記ベルトの上端と下端が、両者ともに前記キャリッジの駆動点の近傍の一点で、前記連接要素に固定されていることを特徴とする、請求項１３に記載の長さ寸法測定用コラム。
【請求項１５】
前記測定ピンが、前記キャリッジの平面に垂直に取り付けられていることを特徴とする、請求項１に記載の長さ寸法測定用コラム。
【請求項１６】
前記キャリッジの位置測定システムに、連結されたケーブルを有し、
該ケーブルが、ケーブルまたはベルトが力とモーメントを、キャリッジに直接にかけるのを阻止するように、前記連接要素に連結されていることを特徴とする、請求項１に記載の長さ寸法測定コラム。
【発明の詳細な説明】
【０００１】
本発明は、測定機に関するものであり、特に長さ寸法測定用コラムに関するものである。
【発明の属する技術分野】
【０００２】
【従来の技術】
長さ寸法測定コラムは、例えば特許文献１（米国特許第４，９２４，５９８号明細書）に記載されている。
それらは、例えば、機械工場で、寸法測定または比較に例えば用いられる。
長さ寸法測定コラムは、一般的に基台付きのフレームと、フレームにそって垂直に移動することができるキャリッジと、キャリッジ駆動装置と、キャリッジの垂直位置測定システムとから成る。
測定ピンがキャリッジに接続され、被測定物に接触させられる。
一部の長さ寸法測定コラムは、作業面上で長さ寸法測定コラムを容易に移動させることができるようにエアクッションを生み出すことが可能な手段を備えた基台を有する。
【０００３】
駆動装置は、手動型とし、ハンドルで作動させることができる、あるいは電動型としてモータを使用することができる。
ハンドルまたはモータは、キャリッジに連結されたケーブルまたはベルト、ならびにキャリッジと反対方向に移動するカウンタウェイトを駆動する。
ケーブルまたはベルトは、２つのプーリの間に張られている。
キャリッジは、フレームに連結されたガイドレールに当接するためにローラを備えている。
【０００４】
電子測定システムは、キャリッジの位置、すなわち測定ピンの位置を決定し、電子ディスプレイ上にそれを表示することができる。
このタイプの測定用コラムに期待される分解能と精度は、ミクロンのオーダーである。
【０００５】
この精度は、測定ピンと被測定物の間の接触力に、大きく依存する。
接触力が大きいと、測定ピンと被測定物の一方又は双方にたわみが引き起こされたり、さらには材料に弾性変形が引き起こされ、測定に影響するおそれがある。
それゆえ、測定ピンと被測定物の間の接触力は最小でなければならず、この接触力は、いかなる場合でも、測定の都度同一でなければならない。
【０００６】
許容最大占有空間と製造精度による制約があるので、ベルトは、かならずしもフレームに対して厳密に平行ではない。
とくに、特許文献１に記載の発明で明らかになったのだが、キャリッジの上のベルトの取付角度αはキャリッジの長手方向位置によって変動する。
これは、とくにキャリッジが、コラムの下部プーリまたは上部プーリの近くにあり、プーリの半径ｒがフレームとキャリッジの上のベルトの取付点の間の距離ｄと異なる場合に当てはまる。
これは、またフレームに対するプーリの中心位置が厳密に制御されていない場合に当てはまる。
このような状況において、キャリッジに対するベルトの牽引力は非垂直方向に働き、キャリッジの平面に平行な水平軸に沿ってモーメントｍが加わる。
このモーメントは、測定ピンと被測定物の間の接触力に影響するので、測定精度はキャリッジの長手方向位置によって変動する。
【０００７】
特許文献２（米国特許第５，０４０，３０８号明細書）に記載の測定コラムでは、測定キャリッジが調節部材を介して駆動ベルトの上端に接続されている。
キャリッジは、測定軸方向に調節部材に対して摺動することができる。
しかしながら、調節部材とキャリッジの間の連接では測定軸に沿った移動しかできない。
したがって、測定軸に垂直な牽引力の成分は、キャリッジに、また間接的に測定ピンに対して働く。
【０００８】
特許文献３（欧州特許出願公開第２２３７３６号明細書）に記載の測定コラムでは、測定キャリッジが枠体を介して駆動ベルトの上端に接続されている。
キャリッジは、枠体に対して水平方向に旋回、摺動することができる。
反対に、キャリッジと枠体の平面に平行な軸に沿った枠体に対するキャリッジの旋回を可能にする手段は一切ない。
したがって、駆動ケーブルによって枠体にかかるすべてのモーメントは、かならず測定ピンに跳ね返る。
【０００９】
他方で、測定ピンは、キャリッジと枠体の平面に平行な軸ｙにそって配置される。
この構造の利点は少ない、なぜなら測定ピンはフレーム上にガイドレールによって構成された基準表面から遠くなるからである。
そのうえ測定ピンは、フレームの角の近くに位置し、複雑な形状の物の一部とその角が接触するおそれがある。
【００１０】
【特許文献１】
米国特許第４，９２４，５９８号明細書
【特許文献２】
米国特許第５，０４０，３０８号明細書
【特許文献３】
欧州特許出願公開第２２３７３６号明細書
【００１１】
【発明が解決しようとする課題】
したがって、本発明の一つの目的は、これらの問題が解決された、長さ寸法測定コラムを提供することである。
【００１２】
とくに、本発明の一つの目的は、駆動システムが垂直成分一つしか含んでいない力をキャリッジに加える長さ寸法測定コラムを提供することにある。
【００１３】
【課題を解決するための手段】
本発明の課題を解決するための手段は、次のとおりである。
第１に、フレームと、
フレームの長手方向にそった測定軸にそって移動可能なキャリッジと、
キャリッジに連結され、被測定物と接触させられる測定ピンと、
キャリッジを駆動するための駆動体と駆動モータとを有するキャリッジの動力駆動装置と、
測定軸に沿うキャリッジの位置測定システムとから成り、
駆動体とキャリッジとの間に、キャリッジの平面に平行な旋回軸に沿った旋回動作を可能にする連接要素を有することを特徴とする、長さ寸法測定用コラム。
第２に、前記旋回軸が、水平であることを特徴とする、上記第１に記載の長さ寸法測定用コラム。
第３に、前記連接要素が、キャリッジの平面に垂直な軸に沿った旋回動作も可能にすることを特徴とする、上記第１に記載の長さ寸法測定用コラム。
第４に、前記駆動体がケーブルまたはベルトであって、
前記連接要素が、ケーブルまたはベルトに固定された力分配要素と、該力分配要素と前記キャリッジの間の接続要素とから成ることを特徴とする、上記第１に記載の長さ寸法測定用コラム。
第５に、前記力分配要素が、前記フレームに当接させるためのローラを有することを特徴とする、上記第４に記載の長さ寸法測定用コラム。
第６に、前記力分配要素が、それを前記フレームの前面に当接するための少なくとも一つのローラと、前記フレームの後面に当接するためのローラを有することを特徴とする、上記第５に記載の長さ寸法測定用コラム。
第７に、前記力分配要素が、どのような水平軸に沿っても旋回動作可能であることを特徴とする、上記第６に記載の長さ寸法測定用コラム。
第８に、前記力分配要素が、前記キャリッジの一部を覆う枠体であることを特徴とする、上記第４に記載の長さ寸法測定用コラム。
第９に、前記枠体と前記キャリッジの間の相対的移動距離を制限するための、スペーサロッドを有することを特徴とする、上記第８に記載の長さ寸法測定用コラム。
第１０に、前記接続要素が、水平の旋回軸で構成されることを特徴とする、上記第４に記載の長さ寸法測定用コラム。
第１１に、前記水平の旋回軸が、前記力分配要素と前記キャリッジとの相対的移動を可能にするように取り付けられていることを特徴とする、上記第１０に記載の長さ寸法測定用コラム。
第１２に、前記キャリッジが、キャリッジの支えの重心位置の一点だけで前記連接要素によって駆動されることを特徴とする、上記第１に記載の長さ寸法測定用コラム。
第１３に、前記駆動体がケーブルまたはベルトであって、
ケーブルまたはベルトの上端と下端が、両者ともに同じ点で前記連接要素に固定されていることを特徴とする、上記第１に記載の長さ寸法測定用コラム。
第１４に、前記ケーブルまたは前記ベルトの上端と下端が、両者ともに前記キャリッジの駆動点の近傍の一点で、前記連接要素に固定されていることを特徴とする、上記第１３に記載の長さ寸法測定用コラム。
第１５に、前記測定ピンが、前記キャリッジの平面に垂直に取り付けられていることを特徴とする、上記第１に記載の長さ寸法測定用コラム。
第１６に、前記キャリッジの位置測定システムに、連結されたケーブルを有し、
該ケーブルが、ケーブルまたはベルトが力とモーメントを、キャリッジに直接にかけるのを阻止するように、前記連接要素に連結されていることを特徴とする、上記第１に記載の長さ寸法測定コラム。
また、上記課題は、本発明によって、以下の独立の手段に記載の各要素から成る長さ寸法測定コラムによって達成される。
【００１４】
第１の手段は、長さ寸法測定コラム（１）において、
フレーム（２）と、
フレームに沿った測定軸（ｚ）にそって移動することができるキャリッジ（３）と、
キャリッジ（３）に連結され、被測定物と接触させられる測定ピン（４４）と、
測定軸（ｚ）にそって移動することによって、キャリッジ（３）を駆動するためのケーブルまたはベルト（４０）を有するキャリッジの駆動装置と、
測定軸（ｚ）にそった前記キャリッジ（３）の位置測定システム、とから成り少なくともキャリッジ（３）の平面に平行な旋回軸（ｘ）にそった旋回を可能にする、ケーブルまたはベルト（４０）とキャリッジ（３）の間の連接要素（５、３０）を有すること特徴とする、長さ寸法測定コラムを提案するものである。
【００１５】
第２の手段は、第１の手段にくわえて、旋回軸（ｘ）が水平であることを特徴とする長さ寸法測定コラムを提案するものである。
【００１６】
第３の手段は、第１の手段にくわえて、連接要素（５、３０）が、キャリッジ（３）の平面に垂直な軸（ｙ）にそった旋回も可能にすることを特徴とする長さ寸法測定コラムを提案するものである。
【００１７】
第４の手段は、第１の手段にくわえて、連接要素（５、３０）が、ケーブルまたはベルト（４０）に固定された力分配要素（５）と、力分配要素（５）とキャリッジ（３）の間の接続要素（３０）とから成る、ことを特徴とする長さ寸法測定コラムを提案するものである。
【００１８】
第５の手段は、第４の手段にくわえて、力分配要素（５）が、それをフレーム（２）に当接させるために少なくとも一つのローラ（５１、５２）を有することを特徴とする長さ寸法測定コラムを提案するものである。
【００１９】
第６の手段は、第５の手段にくわえて、力分配要素（５）が、それをフレーム（２）の前面に位置する物差し（２２）に当接するための少なくとも一つの前面ローラ（５２）と、フレーム（２）の後面レール（２１）に当接するためのローラ（５１）を有することを特徴とする長さ寸法測定コラムを提案するものである。
【００２０】
第７の手段は、第６の手段にくわえて、力分配要素（５）が、任意の水平軸（ｘ、ｙ）にそって旋回自由であることを特徴とする長さ寸法測定コラムを提案するものである。
【００２１】
第８の手段は、第４の手段にくわえて、力分配要素（５）が、キャリッジ（３）の一部を覆う枠体（５）に適合していることを特徴とする長さ寸法測定コラムを提案するものである。
【００２２】
第９の手段は、第８の手段にくわえて、枠体（５）とキャリッジ（３）の間の相対的運動の大きさを制限するための、少なくとも一つのスペーサロッド（５４）を有することを特徴とする長さ寸法測定コラムを提案するものである。
【００２３】
第１０の手段は、第４の手段にくわえて、接続要素が水平旋回軸である旋回軸（３０）で構成されることを特徴とする長さ寸法測定コラムを提案するものである。
【００２４】
第１１の手段は、第１０の手段にくわえて、旋回軸（３０）が、旋回軸の長手方向軸に沿った力分配要素（５）とキャリッジ（３）の相対的移動を可能にするように取り付けられていることを特徴とする長さ寸法測定コラムを提案するものである。
【００２５】
第１２の手段は、第１の手段にくわえて、キャリッジ（３）が、キャリッジの支えの幾何学的中心となる重心位置の近傍の一点を有する開口部（３４）だけで連接要素（５、３０）によって駆動されることを特徴とする長さ寸法測定コラムを提案するものである。
【００２６】
第１３の手段は、第１の手段にくわえて、ケーブルまたはベルト（４０）の上端と下端が、両者ともに同じ点で前記連接要素（５、３０）に固定されていることを特徴とする長さ寸法測定コラムを提案するものである。
【００２７】
第１４の手段は、第１３の手段にくわえて、ケーブルまたはベルト（４０）の上端と下端が、両者ともに、キャリッジ（３）の駆動点を有する開口部（３４）の近傍の一点で連接要素（５、３０）に固定されていることを特徴とする長さ寸法測定コラムを提案するものである。
【００２８】
第１５の手段は、第１の手段にくわえて、測定ピン（４４）が、キャリッジ（３）の平面（ｘ−ｚ）に垂直に取り付けられていることを特徴とする長さ寸法測定コラムを提案するものである。
【００２９】
第１６の手段は、第１の手段にくわえて、キャリッジ（３）の測定システムに連結された少なくとも一本のケーブルを有し、少なくとも一本のケーブルが、ケーブルまたはベルトが力とモーメントをキャリッジに直接にかけるのを阻止するように、連接要素（５、３０）に連結されていることを特徴とする長さ寸法測定コラムを提案するものである。
【００３０】
とくに、本発明の目的は、フレームと、フレームにそった測定軸にそって移動することのできるキャリッジと、キャリッジに連結された、被測定物と接触させるための測定ピンと、測定軸にそって移動する前記キャリッジを駆動するためのケーブルまたはベルトから成る駆動装置と、測定軸に沿った前記キャリッジの位置測定システムとから成り、ケーブルまたはベルトとキャリッジの間の連接要素が、少なくともキャリッジの平面に平行な旋回軸にそって旋回を可能にすることを特徴とする長手方向寸法測定コラムによって達成される。
【００３１】
この構造は、キャリッジに、ひいては測定ピンに反映されるのがケーブルまたはベルトによってかけられた牽引力の垂直成分だけであるという利点がある。
このようにして、とくにキャリッジが二つのプーリの一方の近くにあるとき、この力の水平成分による測定誤差が防止される。
【００３２】
【実施例】
本発明は、説明のための図面を参照して、付属の説明を読むことによっていっそう明らかになるだろう。
【００３３】
図１は長さ寸法測定コラムの主要構成の概略図であり、図２は完成した長さ寸法測定コラムの側面図であり、図３は本発明による長さ寸法測定コラムのキャリッジの一部を分解した斜視図であり、図４は本発明による長さ寸法測定コラムのキャリッジの斜視図である。
【００３４】
本発明による長さ寸法測定コラム１の一例は、基台２０に垂直に取り付けられたフレーム２を具備する。
フレーム２は、例えば、容量性、誘導、または磁気による物差し２２とガイドレール２４とを備えた前面を有する。
物差し２２は、例えば容量性または磁気電極を備えたガラス製の物差しで構成される。
物差し２２は、キャリッジ３に取り付けられたセンサー（図示は省略）によって、絶対または相対位置の測定を可能にする電極を備えている。
ガイドレール２４は、フレーム２に取り付けられるか、好適にはフレーム２の表面を加工することで形成されている。
該ガイドレール２４は、キャリッジ３のガイドローラ３１が当接して移動する平坦な当接表面を有している。
フレーム２の後面側には、ガイドレール２４とは異なる後面レール２１が形成されている。
後面レール２１は、追加ローラ３２のための後部ころがり表面を有している。
さらに、側面ローラ３３は、側面レール２５に当接することができる。
ｘ−ｙ平面内のキャリッジ３の位置は、後面レール２１、ガイドレール２４、側面レール２５によって完全に定義される。
【００３５】
フレームに結合された駆動機構は、上部プーリ４２と下部プーリ４３とを含む。
駆動機構は、さらに、２つのプーリの一方を回転駆動することが可能な図示されていないモータ、ならびに２つのプーリの間に張られたループを形成するケーブルまたはベルト４０を有する。
キャリッジ３は、ケーブルまたはベルト４０によって駆動され、したがって、モータによって垂直軸ｚに沿って移動されることができる。
ループ状のベルト４０の別の部分に固定されたカウンタウェイト４１は、キャリッジ３とは反対方向に移動する。
ベルト４０に対する牽引力は、例えば、モータと駆動プーリの間の図示されていない摩擦体によって、および／またはモータの駆動トルクを制御して、正確に制御される。
【００３６】
測定ピン４４は、測定ピン保持体４５によってキャリッジ３に取り付けられる。
測定ピン４４の球形の先端は、被測定物と接触させられる。
容量性、誘導性、光電性または磁気抵抗性タイプの測定システムは、測定ピン４４の位置または２つの測定点の間の測定ピン４４による移動を、図示されていない、電子ディスプレイ上で示すことができる。
測定システムは、例えば、物差し２２に向き合って電子センサがキャリッジ３に取り付けられ、および、図示されていない軟質ケーブルマットによって接続され、場合によっては局所無線結合で、操作または測定ディスプレイコンソールに、接続される。
【００３７】
本発明によれば、ケーブルまたはベルト４０は、この例では枠体５と旋回軸３０によって構成された連接要素を介してキャリッジ３に接続されている。
枠体５は、力分配要素の役割を果たし、フレーム２の前面に位置するレールとしても機能する物差し２２に当接する前面ローラ５２と、フレーム２の後面レール２１に当接する後面ローラ５１を備えている。
スペーサロッド５４は、キャリッジの重心の近くに必要ならば最小圧力をかけて枠体５をキャリッジ３から離して維持することを可能にする当たり止めの役割を果たす。
枠体５は、キャリッジ内の開口部３４に緩く挿入された旋回軸３０を介してキャリッジ３に接続される。
開口部３４は、キャリッジの支えの重心位置の近傍にある。
従って、枠体５によるキャリッジ３への力の伝達は、全て旋回軸３０による点を介して行われる。
とくに、キャリッジ３は、開口部３４に位置するこの点によってのみ、垂直測定軸ｚにそって動かされる。
【００３８】
ケーブルまたはベルト４０の上端と下端は、枠体５の中心軸におけるポイント５３に取り付けられた翼部５５によって枠体５に固定される。
すなわち、ベルト４０の上端は、図３におけるポイント５３と枠体５との間であって、ポイント５３の軸より上側に取り付けられ、ベルト４０の下端は、ポイント５３の軸より下側に取り付けられているが、ベルト４０の上端と下端とを重ね合わせ、同一の箇所に取り付けることもできる。
枠体５は、旋回軸３０にネジ止めされる。
翼部５５は、キャリッジ３の重心位置の近傍の一点によって駆動することで、キャリッジ３を手動で移動することができる。
【００３９】
開口部３４と旋回軸３０の間の遊びは、軸ｙにそった旋回軸３０と枠体５の回転動作を可能にするのに十分なものである。
他方で、枠体５は、枠体に平行で旋回軸の頭部を通る水平軸ｘにそって容易に旋回動作できるように、旋回軸３０に十分緩めて取り付けられている。
旋回軸３０は、さらに長手方向軸ｙにそって開口部３４内を摺動することができる。
【００４０】
このようにして、ケーブルまたはベルト４０とフレーム２の間の角度αが大きくなったとき、枠体５は軸ｘのまわりを旋回動作する可能性がある。
なぜなら枠体５の上部は、移動する可能性があり、前面ローラ５２はレールとしても機能する物差し２２から離れることさえできるからである。
枠体５の下部は、旋回軸３０と開口部３４の間の遊びのおかげでキリッジ３に近づいたり、離れたりできる。
しかしながら、スペーサロッド５４はあまりに大きな振幅の移動を阻止し、例えば、キャリッジが測定軸ｚにそって急速に移動されたときに揺動するのを阻止することができる。
【００４１】
したがって理解すべきことは、ケーブルまたはベルト４０の牽引によってかけられた力とモーメントは、キャリッジ３に直接かかることはなく、なによりもまず枠体５に働くということである。
軸ｙに平行な力の成分ならびに軸ｘにそったモーメントは、後面ローラ５１、前面ローラ５２を介してそれらを吸収するフレーム２に伝達される。
これはとくに、水平軸ｘにそったモーメントｍの場合であり、ベルト４０とフレーム２の間の角度αによってとりわけ誘発されるものである。
例えば、完全にフレームの中心軸内にないようなケーブルによって引き起こされた、軸ｙにそったモーメントは、枠体５を旋回駆動するが、それはキャリッジ３には反映されない。
【００４２】
牽引ケーブルまたはベルト４０にくわえて、測定センサーを表示装置に接続する図示されていないケーブルハーネスもキャリッジ３に牽引またはモーメントをかけることがある。
それは、とくにこのハーネスが行程の終わりで張られたとき、あるいは懸架されたケーブルの重みがキャリッジによって支えられるときに当てはまる。
本発明によれば、ケーブルハーネスもこれらの望まれない力とモーメントがキャリッジに直接ではなく、枠体にも働くように枠体５に連結される。
図示した例において、ケーブルは枠体に連結されるが、それは、枠体５の後部に弾性的に該ケーブルを維持する挟み部５６による。
挟み部５６は、フレーム２の後部に配置されているので、ケーブルハーネスが被測定物または測定ピンと接触するおそれを制限することもできる。
【００４３】
図示した例において、ケーブルまたはベルト４０とキャリッジの間の連接要素は、キャリッジ３を取り囲む枠体５によって構成される。
この変型の利点は、キャリッジと枠体との連結の全長を減らし、それによって所与の高さのフレームにそった測定最大行程を増すことができることである。
くわえて、この有利な配置によって、駆動ケーブルまたはベルト４０の上端と下端を同一点に固定することができる。
変型においても、キャリッジ３に対して異なって配置された連接要素を、例えば、キャリッジの上と下の一方または双方と、その延長部内に取り付けられた一つまたは複数の連接要素を用いることが可能である。
【００４４】
図示した例において、枠体５とキャリッジ３の間の連結は、水平軸ｙにそった並進と水平軸ｘとｙにそった回転動作を可能にする旋回軸によって実施される。異なる自由度を可能にするその他の連結手段も容易に考えることができるが、それをもって本発明の範囲を逸脱するものではない。
【００４５】
【発明の効果】
本発明は、以上述べたような特徴を有するので、長さ寸法測定コラムにおいて、駆動システムが垂直成分一つしか含んでいない力をキャリッジに加えることができる。
とくにキャリッジが、２つのプーリの一方の近くにあるとき、この力の水平成分による測定誤差が防止される効果が大である。
【図面の簡単な説明】
【図１】本発明に係る長さ寸法測定コラムの主要構成の概略図
【図２】本発明に係る完成した長さ寸法測定コラムの側面図
【図３】本発明に係る長さ寸法測定コラムのキャリッジの一部を分解した斜視図
【図４】本発明に係る長さ寸法測定コラムのキャリッジの斜視図
【符号の説明】
１  長さ寸法測定用コラム
２  フレーム
３  キャリッジ
５  枠体
２０  基台
２１  後面レール
２２  物差し
２４  ガイドレール
２５  側面レール
３０  旋回軸
３１  ガイドローラ
３２  追加ローラ
３３  側面ローラ
３４  開口部
４０  ベルト
４１  カウンタウェイト
４２  上部プーリ
４３  下部プーリ
４４  測定ピン
４５  測定ピン保持体
５１  後面ローラ
５２  前面ローラ
５３  ポイント
５４  スペーサロッド
５５  翼部
５６  挟み部
【図１】
0003749707.tif 000002
【図２】
0003749707.tif 000003
【図３】
0003749707.tif 000004
【図４】
0003749707.tif 000005